(57)【特許請求の範囲】
【請求項１】
口部が扁平なつまみ部を有する容易に破断可能な閉鎖体で閉鎖された容器本体と、該容器本体の口部に回動自在かつ液密に冠着された中空針部材を含んでなり、該中空針部材の前記つまみ部を収容する位置に、中空針部材を回動させた時に該つまみ部と衝合する衝合手段を設けてなる液体容器。
【請求項２】
口部と閉鎖体が脆弱部で液密に接続されてなる請求項１に記載の液体容器。
【請求項３】
中空針部材が、針部とつまみ部収容部とスカート部からなり、スカート部と容器本体の間をパッキンでシールしてなる請求項１または２に記載の液体容器。
【請求項４】
容器本体の口部外壁にアンダーカットを設け、中空針部材のスカート部下端に設けた環状係合突起と係合するようにしてなる請求項１〜３のいずれかに記載の液体容器。
【発明の詳細な説明】
【０００１】
【発明の属する技術分野】
本発明は、液体容器に関する。特に一方の容器から他方の容器に無菌的に薬液を移注するのに適した液体容器に関する。
【０００２】
【従来の技術】
従来より、混合した状態で保存すると互いに反応して効力を失う等の不具合を生じる薬剤や、高圧蒸気滅菌等の熱による滅菌処理により分解や変質などを起こす薬剤は、一般にゴム栓で密封されたバイアル等に収容され保存されている。そして、これらの薬剤は、患者への投与に際して、注射器などを用いて薬剤容器から薬剤を取り出し、輸液容器に混注して用いられている。しかしながら、この様なシリンジを用いた移注操作は、作業時間がかかる上、薬液が汚染される虞がある。
【０００３】
そこで、シリンジを用いた移注操作の欠点を解消するものとして、従来より、２つの容器をゴム栓が互いに対向するように配置し、両頭針の穿刺針で２つのゴム栓を刺通して２つの容器を液体連通し、薬液の移注を行う様にした連通手段付き薬液容器が種々提案されている（特開平８−７１１２２号公報など）。
しかしながら、このものは、薬液の移注が両頭針の薬液流路内を自然流下により行うものであるため、移注時間が長くなる上、残液が生ずる虞があった。
【０００４】
【発明が解決しようとする課題】
本発明は、上記の事情に鑑みてなされたもので、簡単な操作で短時間で無菌的に薬液の移注を行うことができ、移注後の残液が少ない薬液容器を提供することを目的とする。
【０００５】
【課題を解決するための手段】
本発明者等は、上記の課題を解決するために鋭意検討の結果、容器本体の口部を閉鎖する手段を、ゴム栓の代わりにツイストオフタイプの閉鎖体にすることに想到し、本発明を完成した。すなわち、本発明は、口部が扁平なつまみ部を有する容易に破断可能な閉鎖体で閉鎖された容器本体と、該容器本体の口部に回動自在かつ液密に冠着された中空針部材を含んでなり、該中空針部材の前記つまみ部を収容する位置に、中空針部材を回動させた時に該つまみ部と衝合する衝合手段を設けてなる液体容器である。
ここで、口部と閉鎖体の接続部分は脆弱部に形成されるのが好ましい。また、中空針部材は、針部とつまみ収容部とスカート部からなるものが好ましく、スカート部と容器本体の間はパッキンでシールされるのが好ましい。中空針部材は、スカート部下端に環状係合突起を設け、冠着した時に容器本体の口部外壁に設けたアンダーカットと係合するようにしてもよい。
【０００６】
【発明の実施の形態】
次に本発明の実施例について図面に基づいて説明する。
図１は本発明の一実施例を示す縦断面図であり、図２は図１に示す液体容器のＸ−Ｘ線断面図、図３は図２の要部拡大図である。また、図４は図１に示す液体容器の中空針部材を回動させて閉鎖体を破断した状態を示す図である。
図１〜図３に示すように、本発明の液体容器は、口部１１が容易に破断可能な閉鎖体１２で閉鎖された容器本体１と、この容器本体１の口部１１に回動自在に冠着された中空針部材２を含んでなる。閉鎖体１２は扁平なつまみ部１２１を有しており、中空針部材２のつまみ部収容部２２には、中空針部材２を回動させた時につまみ部１２１と衝合する突条２４が設けられている。尚、図中４は中空針部材２の針部２１を保護するためのキャップである。
【０００７】
容器本体１は内部に薬液などの液体が収容される容器であり、通常、ポリエチレンやポリプロピレン、ポリエステルなどの耐薬品性を有する可撓性樹脂で筒状に形成される。容器本体１の口部１１の外壁には周方向にアンダーカット１３が設けられており、後述の中空針部材２が冠着された時に、その係合突起２５が回動自在に係合するようになっている。口部１１のアンダーカット１３より先端側は段差状に縮径された後、さらに縮径され、口部１１の先端は脆弱部１４を介して中空針部材２と容易に破断可能に接続されている。閉鎖体１２は、扁平なつまみ部１２１と容器本体１の口部１１を閉鎖する閉鎖部１２２からなり、容器本体１の軸心に関して閉鎖体１２を回転した時に、脆弱部１４で口部１１から破断される。
【０００８】
中空針部材２は容器本体１の口部１１に回動自在かつ液密に冠着されており、一般に高密度ポリエチレンやポリプロピレン、ポリエステル、ＡＢＳ樹脂、ポリカーボネート、ポリスルホンなどの透明な熱可塑性樹脂で中空に形成される。
中空針部材２は中空の穿刺針からなる針部２１と、閉鎖体１２のつまみ部１２１を収容する空間が設けられたつまみ部収容部２２と、口部１１の外壁に液密に冠着されるスカート部２３からなっており、スカート部２３と容器本体１の間には、両者を液密にシールするためのパッキン３が設けられている。そして、つまみ部収容部２２の内壁には、中空針部材２を軸心の周りに回転させた時に閉鎖体１２のつまみ部１２１と衝合する衝合手段としての縦方向の突条２４が設けられており、また、スカート部２３には、中空針部材２を容器本体１の口部１１に冠着した時に口部１１外壁のアンダーカット１３と回動自在に係合するための、係合突起２５が設けられている。
尚、突条２４は１個でも複数でもよいが、通常、つまみ部１２１を収容するようにつまみ部１２１の厚さよりもやや大きな幅で２個ずつ計４個設けるのが好ましい。また、係合突起２５の数は特にこだわらないが、通常、環状に形成され、３〜５個等間隔に設けてもよい。
【０００９】
内部に液体（通常薬液）の収容された本発明の液体容器の使用に際しては、図１に示すように、中空針部材２にキャップ４を挿着したままの状態で、中空針部材２を軸心の周りに回転させればよい。中空針部材２を回転させると、容器本体１のつまみ部１２１は中空針部材２の突条２４と衝合して回転し、口部１１から破断される（図４参照）。口部１１が開放されたら、キャップ４を外して、中空針部材２の針部２１を他の容器（図示していない）のゴム栓に刺通して、内部に収容された薬液を移注することができる。
【００１０】
【発明の効果】
以上説明してきたことから明らかなように、本発明の液体容器を採用することにより、簡単な操作で、短時間の内に、無菌的に薬液の移送を行うことができる。また、液体容器にゴム栓が使用されていないので、移注後の残液が少ない。
【図面の簡単な説明】
【図１】  本発明の一実施例を示す縦断面図である。
【図２】  図１に示す液体容器のＸ−Ｘ線断面図である。
【図３】  図２の要部拡大図である。
【図４】  図１に示す液体容器の中空針部材を回動させて閉鎖体を破断した状態を示す図である。
【符号の説明】
１  容器本体
１１  口部
１２  閉鎖体
１２１  つまみ部
１２２  閉鎖部
１３  アンダーカット
１４  脆弱部
２  中空針部材
２１  針部
２２  つまみ部収容部
２３  スカート部
２４  突条
２５  係合突起
３  パッキン
４  キャップ
【図１】
0003777587.tif 000002
【図２】
0003777587.tif 000003
【図３】
0003777587.tif 000004
【図４】
0003777587.tif 000005